(57)【特許請求の範囲】
【請求項１】
換気すべき室内の炭酸ガスを検出する炭酸ガス検出手段と、
該炭酸ガス検出手段からの検出出力に基づいて炭酸ガス濃度値を算出すると共に、算出された炭酸ガス濃度値に応じて進行状況が変化する知育シミュレーションゲームを制御する制御手段と、
上記制御手段により制御され、上記知育シミュレーションゲームの内容を画面上に表示する表示手段とからなり、
前記制御手段は、算出された炭酸ガス濃度値が予め設定された炭酸ガス許容濃度値を超えると、上記表示手段の画面上に表示される前記知育シミュレーションゲーム内の知育対象物の成長率が停滞するかまたは該知育対象物が消えるように制御する
ことを特徴とする換気支援装置。
【請求項２】
前記制御手段は、定期的に算出された炭酸ガス濃度値を予め設定された炭酸ガス許容濃度値と比較し、算出された炭酸ガス濃度値が上記炭酸ガス許容濃度値未満の場合は、前記知育シミュレーションゲーム内の知育対象物の成長率を所定の割合で積算し、積算された成長率に基づいて上記知育対象物を成長させ、算出された炭酸ガス濃度値が上記炭酸ガス許容濃度値を超える場合は、前記知育シミュレーションゲーム内で室内の換気を促す事象として、上記表示手段の画面上に表示される前記知育シミュレーションゲーム内の知育対象物の成長率が停滞するという事象または該知育対象物が消えるという事象を発生させるように制御することを特徴とする請求項１記載の換気支援装置。
【発明の詳細な説明】
【０００１】
【発明の属する技術分野】
本発明は、一般住宅等での自然換気をゲーム感覚で実施可能な換気支援装置に関する。
【０００２】
【従来の技術】
近年、一般住宅やアパート、マンションにおいて、ホルムアルデヒド等の揮発性有機化合物によるいわゆる“シックハウス症候群”と思われる健康障害が騒がれている。このような健康障害に対処するために、建築資材等の改善も進んでいるが、１００％抑えることは不可能であり、自然または機械による換気を定期的に実施するしか防止するする方法はないと言われている。
【０００３】
【発明が解決しようとする課題】
換気扇等の機械換気を実施する場合は、それなりの設備が必要であり、かなりのコスト負担となり、簡単には設置できないのが現状である。
【０００４】
一方、自然換気を実施する場合は、使用者が定期的に窓を開ける等の措置をする必要があるが、どのくらいの時間換気をすれば良いのか目安になるものがなく、また、使用者の自己管理では非常に面倒であり、毎日実施するのは大変な仕事となるとが考えられる。また、空気汚れに対する認識レベルは乏しいものであると考えられる。
【０００５】
また、自然換気の目安となる指標として、直接、ホルムアルデヒド等の揮発性有機化合物を捕らえるには、非常に高性能の測定器が必要となり、このような装置は大型かつ高価であるため一般住宅には不向きである。
【０００６】
そこで、本発明は、上記のような問題点に着目し、日常の換気を継続的に容易に実施できるように支援する換気支援装置を提供することを課題とする。
【０００７】
【課題を解決するための手段】
上記課題を解決するためになされた請求項１記載の発明は、換気すべき室内の炭酸ガスを検出する炭酸ガス検出手段と、該炭酸ガス検出手段からの検出出力に基づいて炭酸ガス濃度値を算出すると共に、算出された炭酸ガス濃度値に応じて進行状況が変化する知育シミュレーションゲームを制御する制御手段と、上記制御手段により制御され、上記知育シミュレーションゲームの内容を画面上に表示する表示手段とからなり、前記制御手段は、算出された炭酸ガス濃度値が予め設定された炭酸ガス許容濃度値を超えると、上記表示手段の画面上に表示される前記知育シミュレーションゲーム内の知育対象物の成長率が停滞するかまたは該知育対象物が消えるように制御することを特徴とする換気支援装置に存する。
【０００８】
請求項１記載の発明によれば、換気支援装置は、換気すべき室内の炭酸ガスを検出する炭酸ガス検出手段と、該炭酸ガス検出手段からの検出出力に基づいて炭酸ガス濃度値を算出すると共に、算出された炭酸ガス濃度値に応じて進行状況が変化する知育シミュレーションゲームを制御する制御手段と、制御手段により制御され、知育シミュレーションゲームの内容を画面上に表示する表示手段とからなり、制御手段は、算出された炭酸ガス濃度値が予め設定された炭酸ガス許容濃度値を超えると、表示手段の画面上に表示される知育シミュレーションゲーム内の知育対象物の成長率が停滞するかまたは該知育対象物が消えるように制御する。それにより、日常の換気をゲーム感覚で継続して実施できるようになり、シックハウス症候群等の発生を防止することができる。
【０００９】
上記課題を解決するためになされた請求項２記載の発明は、前記制御手段は、定期的に算出された炭酸ガス濃度値を予め設定された炭酸ガス許容濃度値と比較し、算出された炭酸ガス濃度値が上記炭酸ガス許容濃度値未満の場合は、前記知育シミュレーションゲーム内の知育対象物の成長率を所定の割合で積算し、積算された成長率に基づいて上記知育対象物を成長させ、算出された炭酸ガス濃度値が上記炭酸ガス許容濃度値を超える場合は、前記知育シミュレーションゲーム内で室内の換気を促す事象として、上記表示手段の画面上に表示される前記知育シミュレーションゲーム内の知育対象物の成長率が停滞するという事象または該知育対象物が消えるという事象を発生させるように制御することを特徴とする請求項１記載の換気支援装置に存する。
【００１０】
請求項２記載の発明によれば、制御手段は、定期的に算出された炭酸ガス濃度値を予め設定された炭酸ガス許容濃度値と比較し、算出された炭酸ガス濃度値が炭酸ガス許容濃度値未満の場合は、知育シミュレーションゲーム内の知育対象物の成長率を所定の割合で積算し、積算された成長率に基づいて知育対象物を成長させ、算出された炭酸ガス濃度値が炭酸ガス許容濃度値を超える場合は、知育シミュレーションゲーム内で室内の換気を促す事象として、表示手段の画面上に表示される知育シミュレーションゲーム内の知育対象物の成長率が停滞するという事象または知育対象物が消えるという事象を発生させるように制御する。それにより、使用者は、室内の換気を促され、シックハウス症候群等の発生を防止することができる。
【００１１】
【発明の実施の形態】
まず、本発明の概念について説明すると、本発明は、自然換気の目安となる指標として、居室内の人の呼気に含まれる炭酸ガスの量を利用する換気支援装置である。
【００１２】
炭酸ガスを検知する炭酸ガスセンサは、固体電解質や半導体式等の小型のものが望ましい。炭酸ガスの自然換気の目安として、一般住宅での基準はなく、ビル衛生管理法における１０００ｐｐｍおよび学校保健法における１５００ｐｐｍ程度を基準レベルとして使用するのが望ましいと考える。
【００１３】
換気状況は、単にリアルタイムの室内濃度を数値やレベル表示させることも必要であるが、本来の目的である継続的な換気という意味では、瞬間的なレベルを表示するだけでは、機能の欠けたものとなってしまう。
【００１４】
そこで、本発明では、継続的な換気と電子知育ゲームを結び付けた空気環境のシミュレーションゲームとして使用者に換気を促すことができる換気支援装置を提供する。
【００１５】
電子知育ゲームにおいて知育させる対象は、たとえば、水槽の中で生育していく金魚や熱帯魚等の魚とし、このようなイメージを実際の居住空間とだぶらせて表示画面に表示させることが、最もインパクトのある換気促し方法であると考える。
【００１６】
知育対象物を成長させるには、前述の炭酸ガスの基準濃度１０００〜１５００ｐｐｍに対して、時間または日当たりの積分濃度を比較して、基準内であればステップ毎に成長させ、基準濃度を超えた場合にはそのレベルにより生育率を減らすこととする。継続的に基準濃度を超える場合には、画面に表示されている水槽の水の色が汚れ、瀕死の状態として環境レベルを表す。逆に、継続的に生育が進む場合には、水草も生長し、卵が産まれ、多くの魚が泳ぐ水槽へと生育させていく。
【００１７】
このように、日常の自然換気（すなわち、使用者が窓やドアを開けて自然換気を行うこと）を怠っていると、室内の炭酸ガスの量が増加し、生育環境が悪化したことが画面の状態で使用者に容易にわかり、使用者は換気を行うよう促されることになる。一方、日常の自然換気を頻繁にやればやるほど、室内の炭酸ガスが換気され、生育が進むようになるので、使用者は、生育がもっと進むように、さらに自然換気を行うやる気を起こされることとなる。
【００１８】
以下、本発明の実施の形態について図１乃至図４を参照して説明する。
【００１９】
図１は、本発明による換気支援装置の実施の形態を示すブロック図である。図１において、換気支援装置は、居室内に設置され、電源回路１と、制御手段としてのマイクロコンピュータ２と、駆動回路３と、炭酸ガス検出手段としての炭酸ガスセンサ４および検出回路５と、表示手段としての表示器６と、キー入力部７と、スイッチ８ａ，８ｂとからなる。
【００２０】
電源回路１は、バッテリまたはＡＣ電源からなり、換気支援装置の各部に適宜な駆動電圧を供給する。
【００２１】
マイクロコンピュータ２は、炭酸ガス検出開始を指示するための制御信号を駆動回路３に出力し、それに応じて、駆動回路３は、炭酸ガスセンサ４を駆動し、居室内の炭酸ガス濃度の検出を開始する。また、マイクロコンピュータ２は、炭酸ガスセンサ４および検出回路５からの検出出力に基づいて、炭酸ガス濃度を演算処理して求める。
【００２２】
さらに、マイクロコンピュータ２は、カレンダ機能を実行するプログラムと、このカレンダ機能と連係して、上述の演算処理して求めた炭酸ガス濃度に応じて進行する知育シミュレーションゲーム、たとえば水槽で魚を知育するシミュレーションゲームのプログラムとを内部メモリ（図示しない）に記憶しており、ゲーム画面を表示器６に表示させる。
【００２３】
表示器６は、たとえばタッチパネル式ＬＣＤ（液晶ディスプレイ）で構成されており、その画面は、図２に示すように、画面のほぼ全体がゲームの内容を表示するゲーム表示部６ａと、表示部６ａの右側に設けられた情報表示部６ｂと、画面上に配置された炭酸ガスセンサ４と、情報表示部６ｂにカレンダー表示させるためのアイコンによるスイッチ８ａと炭酸ガス許容濃度値を表示させるためのアイコンによるスイッチ７８とが設けられている。スイッチ８ａおよび８ｂ用のアイコンは、一方にタッチするとオンとなって他方がオフとなるようにオン、オフ操作することができる。
【００２４】
次に、上述の構成を有する換気支援装置の動作を、図３および図４に示すフローチャートで説明する。
【００２５】
まず、電源オンにより動作をスタートし（ステップＳ１）、次いで、初期設定▲１▼としてキー入力部７で現在の年月日時のカレンダー設定を行い（ステップＳ２）、次いで、初期設定▲２▼としてキー入力部で炭酸ガス許容濃度の設定（１０００〜２０００ｐｐｍの範囲内の任意の値に設定）を行う。設定された年月日時のカレンダーは、スイッチ８ａにタッチすることにより、情報表示部６ｂに表示され、設定された炭酸ガス許容濃度値はスイッチ８ｂにタッチすることにより、情報表示部６ｂにカレンダー表示から切り替わって表示される。なお、年月日時のカレンダーは、時刻のみ表示されるようにしても良い。
【００２６】
初期設定後、表示器６のゲーム画面は、たとえば、初期画面表示として、水槽が表示されるが、そのほかは何もない状態となる（ステップＳ４）。次いで、炭酸ガスセンサからの検出信号に基づき、炭酸ガス濃度を算出する演算処理が定期的に（たとえば、数秒または数十秒毎に）に行われ、第１の所定時間の間（たとえば、１分間）の炭酸ガス濃度の平均値＝ａが算出される（ステップＳ５）。
【００２７】
次いで、１分毎に算出される平均値ａが許容濃度以下か否かが判定され（ステップＳ６）、その答がイエスならば、成長率＝０．５／１４４０を積算し（ステップＳ７）、次いでステップＳ８に進む。
【００２８】
一方、ステップＳ６の答がノーならば、直接ステップＳ８に進み、ここで、スタートから第２の所定時間（たとえば１時間）が経過したか否かを判定する。その答がノーならば、ステップＳ５に戻り、イエスならば、ステップＳ９に進む。
【００２９】
ステップＳ９で、炭酸ガス濃度を算出する演算処理が、定期的に（たとえば、数分または数十分毎に）に行われ、第２の所定時間（たとえば、１時間）の間の炭酸ガス濃度の平均値＝ｂが算出される。
【００３０】
次いで、１時間毎に算出される平均値ｂが許容濃度以下か否かが判定され（ステップＳ１０）、その答がノーならば、ステップＳ５に戻り、その答がイエスならば、成長率＝０．５／２４を積算し（ステップＳ１１）、次いでステップＳ１２に進む。
【００３１】
ステップＳ１２で、成長率の積算値が１を超えたら、メダカの卵が１個産まれて、画面に表示される。次いで、スタート後所定期間（たとえば、７日）経過しても、成長率が１に達しなかった場合は、卵はふ化しない（ステップＳ１３）。したがって、卵がいつまでたってもふ化しないという事象により、使用者は、換気を促されることとなる。
【００３２】
次いで、成長率が２以上になったら、２個目のメダカの卵が産まれ、画面に表示される（ステップＳ１４）。次いで、成長率が１アップする毎にメダカの卵が成長する（ステップＳ１５）。次いで、成長率が１アップするのに２日以上かかると、メダカの卵は成長できない（ステップＳ１６）。次いで、成長率が１アップするのに７日以上かかると、メダカの卵は老衰して死に、画面上から消去される（ステップＳ１７）。したがって、メダカの卵が老衰して死に、画面上から消去されるという事象により、使用者は、換気を促されることとなる。
【００３３】
次いで、成長率が７を超えたら、メダカの卵１個がふ化し、メダカが１匹生まれる（ステップＳ１８）。成長率が８を超えたら、２個目のメダカの卵がふ化し、メダカがもう１匹生まれる（ステップＳ１９）。
【００３４】
次いで、成長率が１アップする毎にメダカに餌が与えられ、メダカが成長する（ステップＳ２０）。次いで、この時点で、定期的に算出されている炭酸ガス濃度の平均値が許容濃度を超えるたびに、メダカは水槽の水面に上がり、苦しそうな動作をする（ステップＳ２１）。したがって、メダカあＧ水槽の水面に上がり、苦しそうな動作をするという事象により、使用者は、換気を促されることとなる。
【００３５】
次いで、成長率が１４になったら、水草が１本生え、画面に表示される（ステップＳ２２）。次いで、成長率が２１になったら、水草がもう１本生え、画面に表示される（ステップＳ２３）。次いで、成長率が１アップする毎に、水草も生長する（ステップＳ２４）。
【００３６】
次いで、成長率が３０を超えたら、メダカ用の水中の家が画面に表示され、メダカがこの家に出入りする様子がアニメーション表示される（ステップＳ２５）。
【００３７】
次いで、成長率が５０を超えたら、メダカの卵がさらに１個でき、画面に表示される（ステップＳ２６）。次いで、成長率が５７を超えたら、このメダカの卵がふ化し、３匹目のメダカが生まれる（ステップＳ２７）。
【００３８】
次いで成長率が８０を超えたら、メダカの卵がさらに１個でき、画面に表示される（ステップＳ２８）。次いで、成長率が８７を超えたら、このメダカの卵がふ化し、４匹目のメダカが生まれる（ステップＳ２９）。
【００３９】
次いで、以下成長率の３０アップ毎にメダカの卵が１個産まれ、この卵は成長率の７アップ時にふ化してメダカとなり、最大１０匹までのメダカが知育される（ステップＳ３０）。
【００４０】
次いで、成長率が１５０を超えたら、金魚の卵が産まれる（ステップＳ３１）。次いで、成長率が１６０を超えたら、金魚の卵がふ化し、金魚が生まれる（ステップＳ３２）。
【００４１】
以下、成長率の５０アップ毎に金魚の卵が産まれ、この金魚の卵は、成長率の１０アップ時にふ化して金魚となり、最大５匹までの金魚が知育される（ステップＳ３３）。ステップＳ３３で最大５匹の金魚が生まれた後は、ステップＳ５に戻る。
【００４２】
このように、居室内の炭酸ガス濃度が許容濃度未満であれば、成長率が順調に進み、メダカや金魚が卵から成体まで成長したり、水草も発生、成長したりするので、使用者は、できるだけ居室のドア、窓を開けたり、換気扇等を回したりして、居室内の炭酸ガス濃度が許容濃度未満となるように換気して、これらの成長を楽しむことができる。
【００４３】
一方、使用者による換気作業があまり行われないと、居室内の炭酸ガス濃度が許容濃度値を超えて、成長率が停滞したり、卵が死んで画面上から消えたりするという事象が発生するので、使用者は、画面からそのことに気付き、換気を促されることとなる。
【００４４】
以上の通り、本発明の実施の形態について説明したが、本発明はこれに限らず、種々の変形、応用が可能である。
【００４５】
たとえば、知育シミュレーションゲームは、メダカや金魚を成長させているが、これらに限らず他の魚でも良い、また、魚の知育に限らず、他の対象物、たとえば動物等の知育としても良い。
【００４６】
【発明の効果】
請求項１記載の発明に係る換気支援装置によれば、日常の換気をゲーム感覚で継続して実施できるようになり、シックハウス症候群等の発生を防止することができる。
【００４７】
請求項２記載の発明に係る換気支援装置によれば、使用者は、室内の換気を促され、シックハウス症候群等の発生を防止することができる。
【図面の簡単な説明】
【図１】本発明による換気支援装置の実施の形態を示すブロック図である。
【図２】図１の換気支援装置における表示器の画面の一例を示す略図である。
【図３】図２の換気支援装置の動作を示すフローチャートである。
【図４】図２の換気支援装置の動作を示すフローチャートである。
【符号の説明】
２  マイクロコンピュータ（制御手段）
４  炭酸ガスセンサ（炭酸ガス検出手段の一部）
５  検出回路（炭酸ガス検出手段の一部）
６  表示器（表示手段）
【図１】
0003834208.tif 000002
【図２】
0003834208.tif 000003
【図３】
0003834208.tif 000004
【図４】
0003834208.tif 000005